(57)【要約】【課題】  簡単な構成で確実にクリック感を得ることができる押ボタンスイッチを提供すること。【解決手段】  押ボタンスイッチは、先端部１ａの端面をスイッチ接触部とし且つ後端部１ｂに押ボタン２が固着された導電性操作軸１と、導電性操作軸１の先端部１ａの近くに取り付けられたドーム状金属板の導電性クリックばね３と、第１電極面４ａと第２電極面４ｂとを有するスイッチ部４とで構成されている。第１電極面４ａは導電性操作軸１のスイッチ接触面に対向して、第２電極面４ｂはドーム状金属板の導電性クリックばね３の周縁部３ａに対向して基板６の表面にそれぞれ形成されている。導電性操作軸１の先端部１ａの近くには、抜け止め用Ｅリング１０が取り付けられている。【選択図】  図１
2007115630.tif 000002
【特許請求の範囲】
【請求項１】
先端部の端面をスイッチ接触部とし且つ後端部に押ボタンが固着された導電性操作軸と、前記導電性操作軸の先端部近くに取り付けられたドーム状の導電性クリックばねと、前記導電性操作軸のスイッチ接触面に対向して基板の表面に形成された第１電極面と前記ドーム状の導電性クリックばねの周縁部に対向して基板の表面に形成された第２電極面とを有するスイッチ部とで構成された押ボタンスイッチ。
【請求項２】
先端部の端面をスイッチ接触部とし且つ後端部に押ボタンが固着された導電性操作軸と、ケースに穿設されて前記操作軸を案内する案内用貫通穴と、基板側に形成された第１電極面と第２電極面とを有するスイッチ部と、スイッチの非操作時には前記スイッチ接触部が前記スイッチ面から離間する方向に前記導電性操作軸を付勢する圧縮ばねと、前記操作軸に形成した環状溝に嵌め込まれた防水用パッキンと、前記導電性操作軸の先端部近くに取り付けられて前記圧縮ばねの付勢力によって前記導電性操作軸が前記案内用貫通穴から抜けることを防止する抜け止め用部材とで構成された押ボタンスイッチにおいて、
前記導電性操作軸の先端部近くに導電性クリックばねを取り付け、且つ、スイッチの操作時に前記導電性クリックばねの周縁部が前記第２電極面と当接し且つ前記導電性クリックばねが許容荷重を超えて一気に荷重が下がった状態に達した後に前記スイッチ接触部が前記第１電極面に当接するように前記スイッチ部を構成したことを特徴とする押ボタンスイッチ。
【請求項３】
前記導電性クリックばねは前記抜け止め部材を兼ねていることを特徴とする請求項１又は２に記載の押ボタンスイッチ。
【請求項４】
前記スイッチ部の第１電極面はスイッチパターン面であり、前記第２電極面はベース電位面であることを特徴とする請求項１又は２に記載の押ボタンスイッチ。
【請求項５】
前記スイッチ部の第１電極面はベース電位面であり、前記第２電極面はスイッチパターン面であることを特徴とする請求項１又は２に記載の押ボタンスイッチ。
【請求項６】
請求項１〜５のいずれかに記載の押ボタンスイッチを備えたことを特徴とする時計。
【請求項７】
請求項１〜５のいずれかに記載の押ボタンスイッチを備えたことを特徴とする電子機器。
【発明の詳細な説明】
【技術分野】
【０００１】
本発明は、利用者がボタンを押圧してスイッチをオン・オフさせる押ボタンスイッチ及びこれを備えた時計又は電子機器に関する。
【背景技術】
【０００２】
クリック感を得ることができるスイッチは、時計や電子機器などに広く採用されており、従来から様々な構成のものが知られている。
【０００３】
特開平１１−１０９０５７号公報（特許文献１）には、時計ケースの側面に配置されてクリック感を得ることができる押ボタンスイッチが開示されている。即ち、この押ボタンスイッチは、先端部の端面をスイッチ接触部とし且つ後端部に押ボタンが固着された操作軸と、前記操作軸を案内するパイプと、前記時計ケースに穿設されて前記パイプが嵌め込まれる案内用貫通穴と、スイッチ部と、スイッチの非操作時には前記スイッチ接触部が前記スイッチ部から離間する方向に前記操作軸を付勢する圧縮ばねと、前記操作軸に形成した環状溝に嵌め込まれた防水用パッキンと、前記操作軸の先端部近くに形成された環状溝に嵌め込まれた抜け止め用Ｏリングとで構成された押ボタンスイッチにおいて、前記操作軸に形成した第２の環状溝に嵌め込んだクリック発生用パッキンと前記パイプに形成したクリック溝とでクリック感を得るようにしたことを特徴とするものである。
【０００４】
この押ボタンスイッチは確実なクリックの発生が確保されているが、前記パイプに特殊なクリック溝を形成しなければならないこと、及び、クリック発生用パッキンという特殊なパッキンを用いなければならないことから、製造コストが高くなるという問題がある。また、クリックを発生させるストロークとスイッチをオンにするストロークを一致させるための面倒な微調整を設計段階で行わなければならないという問題もある。
【０００５】
特開２００１−１８４９８３号公報（特許文献２）には、スイッチ接点を設けたスイッチ部材と、前記スイッチ部材上に接地され且つヒンジを介して前記スイッチ接点を押圧する押圧部を設けたケースと、前記押圧部の上に配置されるキートップとを具備し、前記ケースは、前記押圧部が前記スイッチ接点をオンしない程度にスイッチ接点の上部を押圧した状態で前記スイッチ部材上に配置されていることを特徴とするスイッチ機構であって、前記スイッチ部材を合成樹脂フィルム製のフレキシブル基板と２枚のドーム形状の弾性金属板からなるクリック板と取付部材とを備えて構成したスイッチ機構が開示されている。
【０００６】
この押ボタンスイッチ機構はキートップの各方向のガタを確実に無くするものであり、クリック確実なクリックの発生が確保されているが、前記スイッチ部材を合成樹脂フィルム製のフレキシブル基板と２枚のドーム形状の弾性金属板からなるクリック板と取付部材とを備えて構成しなければならないので、構成が複雑でありコストも高くなるという問題がある。
【０００７】
特開平５−７４２６６号公報（特許文献３）には、一対の櫛歯上電極回路が形成されたプリント配線回路導体と、前記プリント配線回路導体上に積層された絶縁膜であって、前記櫛歯上電極回路に整合する位置にくりぬかれた開口部を有する絶縁膜と、前記絶縁膜の上に配置されたバネ製が強いドーム状の導電性金属からなるクリックバネを備えたクリックアクションスイッチが開示されている。スイッチの非操作時には、前記導電性クリックばねはその周縁部は前記絶縁層と当接しているが、前記一対の櫛歯上電極回路とは離間している。そして、スイッチの操作時には、前記導電性クリックばねは図示しない押ボタンで前記スイッチ部の方に押圧され、そのドームの頂上がへこみ、許容荷重を超えたときにクリックを生じさせ、その後に前記導電性クリックばねの頂上の裏面を前記一対の櫛歯上電極回路に接触させる。これによって前記前記一対の櫛歯上電極回路は前記導電性クリックばねによって短絡され、スイッチはオンとなる。
【０００８】
このクリックアクションスイッチは構成が簡単であるが、ベースフィルム上に設けられたプリント回路基板が用いられない装置には適用できないという問題がある。
【０００９】
更に、従来のクリック感を得られるスイッチとしては、図７に示す押ボタンスイッチがある。この押ボタンスイッチは、先端部１ａをスイッチ操作端とし且つ後端部１ｂに押ボタン２が固着された操作軸１と、ケース５に穿設されて操作軸１を案内する案内用貫通穴５ａと、基板６側に形成されたスイッチパターンの電極面４ｃとベース電位面４ｄに一端が固定されたカンチレバー型スイッチバネ４ｅとを有するスイッチ部４と、スイッチの非操作時にはスイッチ操作端１ａがスイッチ部４から離間する方向に操作軸１を付勢する圧縮ばね８と、操作軸１に形成した環状溝１ｃに嵌め込まれた防水用パッキン９と、操作軸１の先端部近くに取り付けられて圧縮ばね８の付勢力によって操作軸１が案内用貫通穴１ｄから抜けることを防止する抜け止め用Ｅリング１０と、クリックばね１１とで構成された押ボタンスイッチである。クリックばね１１は案内用貫通穴５ａの上部開口に連通してケース１に設けられている円筒形のクリックばね収納部５ｄに配置されている。操作軸１は、後端側の大径部と先端部の小径部に略二分されて、段部１ｅが形成されている。そしてクリックばね１１は、その中心部の係合穴が操作軸１の段部１ｅに係合するよう配置されている。
【００１０】
この押ボタンスイッチは、カンチレバー型スイッチバネ４ｄとクリックばね１１の別部品の２個のばねが用いられている。このため、クリックを発生させるストロークとスイッチをオンにするストロークを一致させるための面倒な微調整を設計段階で行わなければならないという問題がある。また、クリックばね１１を配置するための大径の円筒部をケース１に形成しなければならないこと、及び操作軸１をストレートの円柱でなく段部１ｅを有する円柱部品としなければならないので製造コストも高くなるという問題がある。更にまた、スイッチ部４は基板６側に形成されたスイッチパターンの電極面４ｃとベース電位面４ｄに一端が固定されたカンチレバー型スイッチバネ４ｅとを有するものであるから、部品点数が多く、これもコスト高の原因になっている。
【特許文献１】特開平１１−１０９０５７号公報
【特許文献２】特開平５−７４２６６号公報
【特許文献３】特開２００１−１８４９８３号公報
【発明の開示】
【発明が解決しようとする課題】
【００１１】
本発明が解決しようとする課題は、簡単な構成で確実にクリック感を得ることができる押ボタンスイッチ、及びこれを備えた時計又は電子機器を提供することである。
【課題を解決するための手段】
【００１２】
上述の課題を解決するクリック感を得ることができる押ボタンスイッチを、先端部の端面をスイッチ接触部とし且つ後端部に押ボタンが固着された導電性操作軸と、前記導電性操作軸の先端部近くに取り付けられたドーム状の導電性クリックばねと、前記導電性操作軸のスイッチ接触面に対向して基板の表面に形成された第１電極面と前記ドーム状の導電性クリックばねの周縁部に対向して基板の表面に形成された第２電極面とを有するスイッチ部とで構成した。このような構成によって、押ボタンを押してスイッチが操作されたときには、前記第１電極面と第２電極面は前記導電性クリックばねと前記導電性操作軸とによって短絡されるからスイッチはオンになり、同時に前記クリックばねは確実にクリックを発生する。
【発明の効果】
【００１３】
本発明により、部品点数を減少させると共に加工が容易、構成が簡単で、しかも確実にクリック感を得ることができる押ボタンスイッチであって、ストップウオッチ、競技用時計、多機能時計、又は各種の電子機器に適用できる押ボタンスイッチが提供された。
【発明を実施するための最良の形態】
【００１４】
本発明は、先端部の端面をスイッチ接触部とし且つ後端部に押ボタンが固着された導電性操作軸と、ケースに穿設されて前記操作軸を案内する案内用貫通穴と、基板側に形成された第１電極面と第２電極面とを有するスイッチ部と、スイッチの非操作時には前記スイッチ接触部が前記スイッチ面から離間する方向に前記導電性操作軸を付勢する圧縮ばねと、前記操作軸に形成した環状溝に嵌め込まれた防水用パッキンと、前記導電性操作軸の先端部近くに取り付けられて前記圧縮ばねの付勢力によって前記導電性操作軸が前記案内用貫通穴から抜けることを防止する抜け止め用部材とで構成された押ボタンスイッチにおいて、
前記導電性操作軸の先端部近くに導電性クリックばねを取り付け、且つ、スイッチの操作時に前記導電性クリックばねの周縁部が前記第２電極面と当接し且つ前記導電性クリックばねが許容荷重を超えて一気に荷重が下がった状態に達した後に前記スイッチ接触部が前記第１電極面に当接するように前記スイッチ部を構成したことを特徴とする押ボタンスイッチである。
【実施例１】
【００１５】
実施例１の押ボタンスイッチは、図１から図３に示す如く、先端部１ａの端面をスイッチ接触部とし且つ後端部１ｂに押ボタン２が固着された導電性操作軸１と、導電性操作軸１の先端部１ａの近くに取り付けられたドーム状金属板の導電性クリックばね３と、導電性操作軸１の先端部１ａの端面のスイッチ接触面に対向して基板６の表面に形成された第１電極面４ａとドーム状金属板の導電性クリックばね３の周縁部３ａに対向して基板６の表面に形成された第２電極面４ｂとを有するスイッチ部４と、導電性操作軸１の先端部１ａの近くに取り付けられた抜け止め用Ｅリング１０とで構成された押ボタンスイッチである。なお、基板6の表面は、基板の上面および下面における表面のみならず、基板の端面部における表面も含んでいる。
【００１６】
なお、導電性クリックばねは、ドーム状金属板でなくても、ばね性と導電性を備えた材料、例えば、ドーム状の導電性プラスチックやドーム状の非導電性プラスチックに導電性を有する部材を蒸着や接着等で形成してもよい。
【００１７】
時計ケース５には、導電性操作軸１を案内する小径の案内用貫通穴５ａと大径の押ボタン収納部５ｂが同軸に連通するように形成されている。押しボタン２には、軸取り付穴２ａと圧縮ばね収納凹部２ｂが形成されている。導電性操作軸１には、時計ケース５の案内用貫通穴５ａに位置する部分にパッキン取り付用環状溝１ｃが、また、操作軸１の先端部１ａの近くには抜け止め部材取付部１ｄがそれぞれ形成されている。
【００１８】
時計ケース５の内部、即ちモジュール収納部５ｃに配置されている基板６の表面には、第１電極面４ａと第２電極面４ｂが形成されている。第１電極面４ａは、導電性操作軸１の先端部１ａの端面よりも少し広い面積の電極面であって、スイッチパターン面として機能するものである。一方、第２電極面４ｂは、ドーム状金属板の導電性クリックばね３の周縁部３ａに対向する電極面であって、ベース電位面として機能するものである。そして、第１電極面４ａは第２電極面４ｂよりも少し低い位置になるようにスイッチ部４は構成されている。これは、クリックの発生とスイッチのオンを同時に行わせるために必要な操作軸１のストロークを確保するためである。
【００１９】
押ボタンスイッチの組立は、押ボタン２の軸取り付穴２ａに導電性操作軸１の後端部１ｂの端部を固着する。そして押ボタン２の圧縮ばね収納凹部２ｂにコイルばねの圧縮ばね８を収納し、パッキン取り付用環状溝１ｃに防水用パッキン９が嵌め込まれた導電性操作軸１を案内用貫通穴５ａに挿入する。すると、押ボタン２はケース５の押ボタン収納部５ｂに収納され、同時に  導電性操作軸１の先端部１ａは案内用貫通穴５ａを貫通して時計ケース５の内部に突出する。次に、導電性操作軸１の先端部１ａの近くに形成されている抜け止め部材取付部１ｄにドーム状金属板の導電性クリックばね３が取付けられ、最後に抜け止め用Ｅリング１０が取付けられる。これによって、押ボタンスイッチの操作部の組立が完成する。そして、第１電極面４ａと第２電極面４ｂが形成された基板６が時計ケース５内の所定の位置に配置されると、図１に示す如く、本発明の実施例１の押ボタンスイッチは完成する。
なお、押しボタン２は、導電性操作軸１の切削加工にて一体に形成しても良い。また、図１から図５の押しボタン２は、導電性操作軸１をインサート成型し形成されている。
【００２０】
スイッチの非操作時においては、本発明の実施例１の押ボタンスイッチは、圧縮ばね８の作用により操作軸１が図１の上方に付勢されて、ドーム状金属板の導電性クリックばね３の周縁部３ａは第２電極面４ｂから離間しており、導電性操作軸１の先端部１ａの端面は第１電極面４ａから離間している。
【００２１】
押ボタン２が押されてスイッチが操作されると、本発明の実施例１の押ボタンスイッチは、図２に示す如く、ドーム状金属板の導電性クリックばね３の周縁部３ａは第２電極面４ｂに先ず接触する。この段階では、導電性操作軸１の先端部１ａの端面は第１電極面４ａから離間している。
【００２２】
押ボタン２が更に下方に押されると、本発明の実施例１の押ボタンスイッチは、図３に示す如く、ドーム状金属板の導電性クリックばね３の周縁部３ａは第２電極面４ｂに接触したまま、導電性操作軸１のスイッチ接触面は第１電極面４ａに接触する。即ち、ドーム状金属板の導電性クリックばね３はクリックを発生すると共に、スイッチはオンする。第１電極面４ａと第２電極面４ｂは、導電性操作軸１とドーム状金属板の導電性クリックばね３によって短絡されるからである。
【００２３】
以上、図１〜図３を参照して、時計ケースの表面側から操作する押ボタンスイッチの構成を詳細に説明した。図４は、時計ケース５の側面側から操作する押ボタンスイッチの構成を示すもので、先端部１ａの端面をスイッチ接触部とし且つ後端部１ｂに押ボタン２が固着された導電性操作軸１と、導電性操作軸１の先端部１ａの近くに取り付けられたドーム状金属板の導電性クリックばね３と、第１電極面４ａと第２電極面４ｂとを有するスイッチ部４と、導電性操作軸１の先端部１ａの近くに取り付けられた抜け止め用Ｅリング１０とで構成された押ボタンスイッチである。第１電極面４ａは基板６の端面に設けられたスイッチパターン面である。第２電極面４ｂは、図４から省略されているが、ドーム状金属板の導電性クリックばね３の周縁部が非操作時には離間しており、且つ操作時には導電性操作軸１の先端部１ａが。第１電極面４ａに当接する前に当接するような位置に配置されている。
【実施例２】
【００２４】
実施例２の押ボタンスイッチは、実施例１の押ボタンスイッチにおいて、導電性クリックばね３と抜け止め用Ｅリング１０とを一体化したものである。即ち、図５に示す如く、実施例２の押ボタンスイッチは、先端部１ａの端面をスイッチ接触部とし且つ後端部１ｂに押ボタン２が固着された導電性操作軸１と、導電性操作軸１の先端部１ａの近くに取り付けられたドーム状金属板の導電性クリックばね３と、導電性操作軸１の先端部１ａの端面のスイッチ接触面に対向して基板６の表面に形成された第１電極面４ａとドーム状金属板の導電性クリックばね３の周縁部３ａに対向して基板６の表面に形成された第２電極面４ｂとを有するスイッチ部４とで構成された押ボタンスイッチである。
【００２５】
時計ケース５には、導電性操作軸１を案内する小径の案内用貫通穴５ａと大径の押ボタン収納部５ｂが同軸に連通するように形成されている。押しボタン２には、軸取り付穴２ａと圧縮ばね収納凹部２ｂが形成されている。導電性操作軸１には、時計ケース５の案内用貫通穴５ａに位置する部分にパッキン取り付用環状溝１ｃが、また、操作軸１の先端部１ａの近くには抜け止め部材取付部１ｄがそれぞれ形成されている。
【００２６】
時計ケース５の内部、即ちモジュール収納部５ｃに配置されている基板６の表面には、第１電極面４ａと第２電極面４ｂが形成されている。第１電極面４ａは、導電性操作軸１の先端よりも少し広い面積の電極面であって、スイッチパターン面として機能するものである。一方、第２電極面４ｂは、ドーム状金属板の導電性クリックばね３の周縁部３ａに対向する電極面であって、ベース電位面として機能するものである。そして、第１電極面４ａは第２電極面４ｂよりも少し低い位置になるようにスイッチ部４は構成されている。これは、クリックの発生とスイッチのオンを同時に行わせるために必要な操作軸１のストロークを確保するためである。
【００２７】
押ボタンスイッチの組立は、押ボタン２の軸取り付穴２ａに導電性操作軸１の後端部１ｂの端部を固着する。そして押ボタン２の圧縮ばね収納凹部２ｂにコイルばねの圧縮ばね８を収納し、パッキン取り付用環状溝１ｃに防水用パッキン９が嵌め込まれた導電性操作軸１を案内用貫通穴５ａに挿入する。すると、押ボタン２はケース５の押ボタン収納部５ｂに収納され、同時に  導電性操作軸１の先端部１ａは案内用貫通穴５ａを貫通して時計ケース５の内部に突出する。最後に、導電性操作軸１の先端部１ａの近くに形成されている抜け止め部材取付部１ｄに、抜け止め用Ｅリングとしても機能するドーム状金属板の導電性クリックばね３が取付けられる。これによって、押ボタンスイッチの操作部の組立が完成する。そして、第１電極面４ａと第２電極面４ｂが形成された基板６が時計ケース５のモジュール収納部５ｃの所定の位置に配置されると、図５に示す如く、本発明の実施例２の押ボタンスイッチは完成する。
【００２８】
実施例２に用いられている抜け止め用Ｅリングとしても機能するドーム状金属板の導電性クリックばね３は、図６に示す如く、ドーム状金属板の円環状クリックばね部３ｂと、導電性操作軸１の抜け止め部材取付部１ｄが嵌挿される係合穴３ｃ、及び係合穴３ｃの周縁から中心に向かう一対の係止用小突起３ｄを有するばね部品である。導電性操作軸１の抜け止め部材取付部１ｄが嵌挿されたドーム状金属板の導電性クリックばね３は、クリックばねとして機能すると共に、係止用小突起３ｃの作用により抜け止め用Ｅリングとしても機能する。
【００２９】
スイッチの非操作時においては、本発明の実施例２の押ボタンスイッチは、圧縮ばね８の作用により操作軸１が図５の上方に付勢されて、ドーム状金属板の導電性クリックばね３の周縁部３ａは第２電極面４ｂから離間しており、導電性操作軸１のスイッチ接触面も第１電極面４ａから離間している。
【００３０】
押ボタン２が押されてスイッチが操作されると、ドーム状金属板の導電性クリックばね３の周縁部３ａは第２電極面４ｂに先ず接触する。この段階では、導電性操作軸１の先端部１ａの端面は第１電極面４ａから離間している。
【００３１】
押ボタン２が更に下方に押されると、ドーム状金属板の導電性クリックばね３の周縁部３ａは第２電極面４ｂに接触したまま、導電性操作軸１の先端部１ａの端面は第１電極面４ａに接触する。即ち、ドーム状金属板の導電性クリックばね３はクリックを発生すると共に、スイッチはオンする。第１電極面４ａと第２電極面４ｂは、導電性操作軸１とドーム状金属板の導電性クリックばね３によって短絡されるからである。
【図面の簡単な説明】
【００３２】
【図１】本発明の実施例１の押ボタンスイッチを備えた腕時計の水平方向に切断した部分拡大断面図である。なお、前記押ボタンスイッチは非操作状態にある。
【図２】本発明の実施例１の押ボタンスイッチを備えた腕時計の水平方向に切断した部分拡大断面図である。なお、前記押ボタンスイッチは操作途中であり、ドーム状金属板の導電性クリックばねの周縁部は第１電極面に接触している。
【図３】本発明の実施例１の押ボタンスイッチを備えた腕時計の水平方向に切断した部分拡大断面図である。なお、ドーム状金属板の導電性クリックばねの周縁部第１電極面に接触し、且つ導電性操作軸の先端は第２電極面に接触し、スイッチがオンされた状態にある。
【図４】本発明の実施例１の押ボタンスイッチを腕時計の側面から操作するように時計ケースに取り付けた場合の腕時計の部分拡大断面図である。
【図５】本発明の実施例２の押ボタンスイッチを備えた腕時計の部分拡大断面図である。
【図６】本発明の実施例２の押ボタンスイッチの導電性操作軸とドーム状金属板の導電性クリックばねを下方からみた拡大平面図である。
【図７】従来の押ボタンスイッチを備えた腕時計の部分拡大断面図である。
【符号の説明】
【００３３】
１  導電性操作軸
１ａ  先端部
１ｂ  後端部
１ｃ  パッキン取り付用環状溝
１ｄ  抜け止め部材取付部
１ｅ  段部
２  押しボタン
２ａ  軸取り付穴
２ｂ  圧縮ばね収納凹部
３  ドーム状金属板の導電性クリックばね
３ａ  周縁部
４  スイッチ部
４ａ  第１電極面
４ｂ  第２電極面
４ｃ  スイッチパターンの電極面
４ｄ  ベース電位面
４ｅ  カンチレバー型スイッチバネ
５  ケース
５ａ  案内用貫通穴
５ｂ  押ボタン収納部
５ｃ  モジュール収納部
５ｄ  クリックばね収納部
６  基板
７  案内用貫通穴
８  圧縮ばね
９  防水用パッキン
１０  抜け止め用Ｅリング
１１  クリックばね
１２  裏蓋
【図１】
2007115630.tif 000003
【図２】
2007115630.tif 000004
【図３】
2007115630.tif 000005
【図４】
2007115630.tif 000006
【図５】
2007115630.tif 000007
【図６】
2007115630.tif 000008
【図７】
2007115630.tif 000009